(57)【特許請求の範囲】
【請求項１】
乾電池が収容される乾電池収容空間部と、
該乾電池収容空間部の上面を塞いだ状態で、該乾電池収容空間部内の乾電池の上端を押さえ、乾電池を取り外す場合に開かれる蓋と、
上記乾電池収容空間部内に対向して設けてある固定の電極端子部材及びばね付勢されている電極端子部材と、
上記乾電池収容空間部のうち上記の固定の電極端子部材側に、該乾電池収容空間部内に廂状に突き出て設けてある廂状突き出し部と、
上記乾電池収容空間部内に設けてある押上げ板と、
該押上げ板を押し上げる方向に付勢するばねとよりなり、
上記乾電池が上記乾電池収容空間部内に収容されており上記蓋が閉じられている状態で上記蓋を開くと、該乾電池が、その固定の電極端子部材側を上記廂状突き出し部と上記押上げ板との間に挾まれて保持され、且つ、ばね付勢されている電極端子部材側が上記押上げ板によって上記乾電池収容空間部より突き出た状態となるようにしたことを特徴とする乾電池収容構造。
【請求項２】
上記押上げ板を押し上げる方向に付勢するばねは、該押上げ板のうち固定の電極端子部材側を付勢する第１のコイルばねと、該押上げ板のうちばね付勢されている電極端子部材側を付勢する第２のコイルばねとよりなり、該第２のコイルばねのばね定数が第１のコイルばねのばね定数より大きい構成としたことを特徴とする請求項１記載の乾電池収容構造。
【請求項３】
上記ばね付勢されている電極端子部材をばね付勢するばねは、円錐コイルばねである構成としたことを特徴とする請求項１記載の乾電池収容構造。
【請求項４】
上記乾電池収容空間部は、単１乾電池を収容可能な大きさを有し、
上記押上げ板は、中央に、単３乾電池の外形に倣った円弧形状を有し、単３乾電池に当たって単３乾電池を押し上げる単３乾電池押上げ部を有し、この単３乾電池押上げ部の両側に、単２乾電池の外形に倣った円弧形状を有し、単２乾電池に当たって単２乾電池を押し上げる単２乾電池押上げ部を有し、且つ、この単２乾電池押上げ部の両側に、単１乾電池を押し上げる単１乾電池押上げ部を有する構成としたことを特徴とする請求項１記載の乾電池収容構造。
【請求項５】
請求項１乃至請求項５のうちいずれか一項記載の乾電池収容構造を備えた構成としたことを特徴とする電子機器。
【発明の詳細な説明】
【０００１】
【発明の属する技術分野】
本発明は乾電池収容構造に係り、特に一般家庭に置かれる電子機器に適用される乾電池収容構造に関する。
一般家庭に置かれる電子機器については、操作する人がお年寄りの方の場合もあることを考慮して、乾電池収容構造は、乾電池を交換する作業、即ち、乾電池を取り外す作業及び乾電池を装着する作業が出来るだけし易い構造であることが必要である。
【０００２】
【従来の技術】
図１１（Ａ）乃至（Ｃ）は従来の電子機器の乾電池収容構造を示す。乾電池収容構造は、電子機器筐体１０内に乾電池収容空間部１１を有し、この乾電池収容空間部１１内に対向する位置関係で負電極端子板１２と正電極端子板１３とを設けた関係にある。負電極端子板１２は皿状の乾電池受け部材１４に固定してあり、正電極端子板１３は皿状の乾電池受け部材１５に固定してある。乾電池受け部材１４は、電子機器筐体１０に固定してある。乾電池受け部材１５はＡ１，Ａ２方向に移動可能に設けてある。乾電池受け部材１４及び１５は、それぞれ単１乾電池支持部１４ａ，１５ａ及び単２乾電池支持部１４ｂ，１５ｂを有する。乾電池受け部材１５は、Ａ２方向に突き出たガイドロッド１５ｃを有し、このガイドロッド１５ｃが、コイルばね１６が嵌合した状態で、電子機器筐体１０の仕切り壁１７の穴を貫通している。乾電池受け部材１５はコイルばね１６によってＡ１方向に付勢されている。
【０００３】
単１乾電池２０は、乾電池受け部材１４の単１乾電池支持部１４ａと乾電池受け部材１５の単１乾電池支持部１５ａとによって支持されて、負電極２０ａを負電極端子板１２に押し付けられ、正電極端子板１３が正電極２０ｂに押し付けられ、蓋１９が乾電池収容空間部１１を覆った状態で、乾電池収容空間部１１内に収容されている。
【０００４】
単１乾電池２０を新たらしい単１乾電池２０と交換する場合には、先ずは、古くなった単１乾電池２０を乾電池収容空間部１１から取り外す作業を以下のように行う。
▲１▼蓋１９を開ける。
▲２▼一方の手の指で乾電池受け部材１５をＡ２方向に少し押して押さえ、単１乾電池２０をフリーとし、図１１（Ｂ）に二点鎖線で示すように他方の手の指２５を乾電池収容空間部１１内に差し込んで、単１乾電池２０の正電極２０ｂ側の上端部２０ｃに当てて単１乾電池２０を引き上げるようにする。
【０００５】
▲３▼単１乾電池２０の正電極２０ｂ側が引き上げられた後に、乾電池受け部材１５を押さえていた指を離す。
新たらしい単１乾電池２０を装着する作業は、以下のように行う。
▲１▼一方の手の指で乾電池受け部材１５をＸ２方向に押して、乾電池受け部材１４と乾電池受け部材１５との間の距離を拡げ、乾電池受け部材１５をこの状態に押さえる。
【０００６】
▲２▼単１乾電池２０を、その負電極２０ａ側については、乾電池受け部材１４の単１乾電池支持部１４ａに支持させ、その正電極２０ｂ側については、乾電池受け部材１５の単１乾電池支持部１５ａに支持させる。
▲３▼乾電池受け部材１５を押さえていた指を離す。
乾電池収容構造は単２乾電池２１も収容可能である。単２乾電池２１については、負電極側を、乾電池受け部材１４の単２乾電池支持部１４ｂに支持させ、その正電極側を、乾電池受け部材１５の単２乾電池支持部１５ｂに支持させる。
【０００７】
【発明が解決しようとする課題】
上記のように、乾電池の取り外し、装着のための作業には、両手を必要とし、一方の手で乾電池受け部材１５を押さえながら行うため、作業がしにくかった。
また、単１乾電池２０と単２乾電池２１とでは、乾電池受け部材１４、１５のうち嵌合させる位置が異なるため、作業を間違う虞れがある。
【０００８】
そこで、本発明は、上記課題を解決した乾電池収容構造及びこれを有する電子機器を提供することを目的とする。
【０００９】
【課題を解決するための手段】
請求項１の発明は、乾電池が収容される乾電池収容空間部と、
該乾電池収容空間部の上面を塞いだ状態で、該乾電池収容空間部内の乾電池の上端を押さえ、乾電池を取り外す場合に開かれる蓋と、
上記乾電池収容空間部内に対向して設けてある固定の電極端子部材及びばね付勢されている電極端子部材と、
上記乾電池収容空間部のうち上記の固定の電極端子部材側に、該乾電池収容空間部内に廂状に突き出て設けてある廂状突き出し部と、
上記乾電池収容空間部内に設けてある押上げ板と、
該押上げ板を押し上げる方向に付勢するばねとよりなり、
上記乾電池が上記乾電池収容空間部内に収容されており上記蓋が閉じられている状態で上記蓋を開くと、該乾電池が、その固定の電極端子部材側を上記廂状突き出し部と上記押上げ板との間に挾まれて保持され、且つ、ばね付勢されている電極端子部材側が上記押上げ板によって上記乾電池収容空間部より突き出た状態となるようにしたものである。
【００１０】
乾電池の固定の電極端子部材側が廂状突き出し部と押上げ板との間に挾まれて保持されるため、乾電池のばね付勢されている電極端子部材側が乾電池収容空間部より突き出た状態となっても、乾電池が乾電池収容空間部から飛び出して落ちてしまうようなことが起きないようにできる。
また、乾電池のばね付勢されている電極端子部材側が乾電池収容空間部より突き出た状態となるため、この部分を指をかける部分に利用出来、乾電池の取り出し操作がし易くなる。
【００１１】
請求項２の発明は、上記押上げ板を押し上げる方向に付勢するばねは、該押上げ板のうち固定の電極端子部材側を付勢する第１のコイルばねと、該押上げ板のうちばね付勢されている電極端子部材側を付勢する第２のコイルばねとよりなり、該第２のコイルばねのばね定数が第１のコイルばねのばね定数より大きい構成としたものである。
【００１２】
第２のコイルばねのばね定数が第１のコイルばねのばね定数より大きいため、押上げ板が乾電池のうちばね付勢されている電極端子部材側を乾電池収容空間部の外まで押し上げる動作が確実になされるようになる。
請求項３の発明は、上記ばね付勢されている電極端子部材をばね付勢するばねは、円錐コイルばねである構成としたものである。
【００１３】
円錐コイルばねは、通常のコイルばねに比べて安定に圧縮変形されるため、ばね付勢されている電極端子部材の動きが安定となる。
請求項４の発明は、上記乾電池収容空間部は、単１乾電池を収容可能な大きさを有し、
上記押上げ板は、中央に、単３乾電池の外形に倣った円弧形状を有し、単３乾電池に当たって単３乾電池を押し上げる単３乾電池押上げ部を有し、この単３乾電池押上げ部の両側に、単２乾電池の外形に倣った円弧形状を有し、単２乾電池に当たって単２乾電池を押し上げる単２乾電池押上げ部を有し、且つ、この単２乾電池押上げ部の両側に、単１乾電池を押し上げる単１乾電池押上げ部を有する構成としたものである。
【００１４】
この構成によって、単１乾電池に限らず、単２乾電池も、単３乾電池も収容可能となる。しかも、単２乾電池及び単３乾電池は、乾電池収容構造部の中央に置けば、単２乾電池は単２乾電池押上げ部によって位置規制され、単３乾電池は単３乾電池押上げ部によって位置規制されるため、単２乾電池及び単３乾電池についても略中央に押し込むと正常に装着され、単２乾電池及び単３乾電池について装着する位置を変える必要はなく、よって装着を間違う虞れはない。
【００１５】
請求項５の発明は、請求項１乃至請求項５のうちいずれか一項記載の乾電池収容構造を備えた構成としたものである。
乾電池の取り出しがし易く、お年寄りの方でも乾電池の交換を行うことが可能である電子機器が実現出来る。
【００１６】
【発明の実施の形態】
図２（Ａ）乃至（Ｄ）は、本発明の一実施例になる乾電池収容構造が適用してある受信装置３０を示す。受信装置３０は、防災無線システムを構築する設備の一つであり、各家庭に置かれるものであり、符号３１で示す側を上側、符号３２で示す側を下側にした姿勢で、壁に取付けられる。Ｙ１，Ｙ２方向が高さ方向、Ｘ１，Ｘ２方向が幅方向、Ｚ１が受信装置３０より手前に突き出る方向、Ｚ２は受信装置３０が取付けられた壁に向かう方向である。
【００１７】
受信装置３０は、ロッドアンテナ３３を有し、且つ、乾電池群収容構造部３４を有する。乾電池群収容構造部３４は、受信装置３０が壁に取付けられた状態で、下寄りの部分に設けてあり、Ｙ２方向にスライド可能な蓋３５でもって覆われている。３６は受信装置３０の筐体である。
乾電池群収容構造部３４は、図１、図３、図４、及び図５に示す構造を有する。乾電池群収容構造部３４は、一つの乾電池がその負電極が下、正電極が上となる向きで収容される４つの乾電池収容構造部３７−１〜３７−４がＸ１、Ｘ２方向に密に並んでいる構成であり、全体で４つの乾電池が並んで収容される。各乾電池収容構造部３７−１〜３７−４は同じ構成であり、いずれか１つの乾電池収容構造部について説明する。特定されないいずれか１つの乾電池収容構造部は、符号３７で表す。
【００１８】
乾電池収容構造部３７は、単１乾電池を収容可能な大きさであり、フレーム４０と、押上げ板４１と、負電極端子部材４２と、正電極端子部材４３等を有する。
フレーム４０は、筐体３６に取り付けてあり、Ｙ１方向端側にＵ字状のフレーム部４０ａを有し、Ｙ２方向端側にＵ字状のフレーム部４０ｂ、塞ぎ部４０ｃ、及び廂状突き出し部４０ｄを有し、内側に乾電池収容空間部４５が形成してある。廂状突き出し部４０ｄは、Ｚ１方向端よりＹ１方向に寸法ａ突き出ている。寸法ａは短い。後述する乾電池の装着及び取り出しが円滑になされるようにするためである。
【００１９】
押上げ板４１は、図３中、横長の矩形状を有しており、Ｕ字状のフレーム部４０ａとＵ字状のフレーム部４０ｂとの間をＸ１、Ｘ２方向に横切るように設けてある。押上げ板４１は、４つの乾電池収容構造部３７−１〜３７−４の全幅に亘っている。押上げ板４１は、Ｘ１、Ｘ２方向の中央に、単３乾電池の外形に倣った円弧形状の単３乾電池押上げ部４１ａを有し、この単３乾電池押上げ部４１ａの両側に単２乾電池の外形に倣った円弧形状の単２乾電池押上げ部４１ｂを有し、この単２乾電池押上げ部４１ｂの両側に単１乾電池押上げ部４１ｃを有する。
【００２０】
廂状突き出し部４０ｄと押上げ板４１とは、廂状突き出し部４０ｄの先端の略Ｚ２方向に押上げ板４１のＹ２方向端が存在する位置関係にある。廂状突き出し部４０ｄの先端と押上げ板４１のＹ２方向端との間のＹ１、Ｙ２方向の寸法ｂは短い。図７（Ａ）に示すように、乾電池を押上げ板４１と廂状突き出し部４０ｄとの間に安定に挟み込むことが可能なようにするためである。
【００２１】
この押上げ板４１は、四隅部の開口をガイド柱４６、４７に嵌合させて、Ｚ１，Ｚ２方向に移動可能に設けてあり、ガイド柱４６、４７に嵌合して第１、第２のコイルばね４８、４９によってＺ１方向に、即ち、乾電池を押上げる方向に付勢されている。ガイド柱４６、４７は、上端を上記のフレーム４０に固定してあり、下端がねじ止めされたプレート４６ａによって連結してある。負電極端子部材４２寄りのガイド柱４６に嵌合してある第１コイルばね４８はばね定数をｋ１を有する。正電極端子部材４３寄りのガイド柱４７に嵌合してある第２コイルばね４９はばね定数をｋ２を有する。第１コイルばね４８のばね定数ｋ１は、後述するように乾電池を押上げ板４１と廂状突き出し部４０ｄとの間にしっかりと挟み込むことが可能である値である。第２コイルばね４８のばね定数ｋ２は、第１コイルばね４８のばね定数ｋ１より大きい値である。図８（Ａ）に示すように、乾電池の正電極側が乾電池収容空間部４５からＺ１方向に突き出るようにするためである。
【００２２】
負電極端子部材４２は、塞ぎ部４０ｃに取り付けてある。負電極端子部材４２は、単１乾電池及び単２乾電池用の凸部４２ａと単３乾電池用の凸部４２ｂとを有する。
正電極端子部材４３は、Ｕ字状支持部材５０に固定してある。Ｕ字状支持部材５０は、Ｕ字状のフレーム部４０ａにＹ１、Ｙ２方向に移動可能に嵌合している。Ｕ字状支持部材５０の下端部５０ａはフレーム４０の切り欠き部４０ｄと嵌合している。正電極端子部材４３は、上端側（Ｚ１方向端側）に、Ｙ１方向に傾斜した傾斜部４３ａを有する。図６（Ａ）に示すように、乾電池を装着するときにＵ字状支持部材５０が過度に押されないようにするためである。
【００２３】
５１はばね固定板であり、フレーム４０のＹ１方向端にＸ１、Ｘ２方向に延在して固定してある。
このばね固定板５１と上記のＵ字状支持部材５０との間に、円錐コイルばね５２が設けてあり、Ｕ字状支持部材５０（正電極端子部材４３）がＹ２方向に付勢されている。
【００２４】
円錐コイルばね５２のうち大きい径側がＵ字状支持部材５０の凸部５０ａに嵌合して固定してあり、小さい径側がばね固定板５１に当たっている。
蓋３５は、Ｘ１、Ｘ２方向の両側の溝部３５ｅを受信装置３０の筐体３６のレール部３６ｂに嵌合させて設けてあり、Ｙ２方向に引くことによって乾電池収容空間部４５が開放され、Ｙ１方向に押すことによって乾電池収容空間部４５が閉じられ、爪部３５ａを筐体３６の内部の凹部３６ａと嵌合されてロックされる。
【００２５】
この蓋３５の下面には、各乾電池収容空間部４５の中央に対向して、Ｙ１、Ｙ２方向に延在するリブ３５ｂが形成してある。このリブ３５ｂのＹ１方向端は、傾斜した傾斜部３５ｃを有する。このリブ３５ｂは、収容された乾電池の頂部を押さえる役割を有する。
次に、上記構成になる乾電池収容構造部３７に単１乾電池２０を装着する操作及び動作、単１乾電池２０が装着された状態、及び単１乾電池２０を取り外す操作及び動作について説明する。
（１）単１乾電池２０の装着
▲１▼  蓋３５をＹ２方向に引き抜いて乾電池収容空間部４５を開く。
【００２６】
この状態では、押し上げ板４１はＺ１方向に移動しており乾電池収容空間部４５の開口４５ａの近くに位置しており、正電極端子部材４３はＹ２方向に移動して乾電池収容空間部４５内に位置している。
▲２▼  図６（Ａ）に示すように、操作者は、単１乾電池２０をその正電極２０ｂが先頭で乾電池収容空間部４５に入るように斜めにした向きで、矢印Ｃ方向に押して乾電池収容空間部４５に入れる。
【００２７】
この操作によって、単１乾電池２０の正電極２０ｂ側のうちの上端部２０ｃが、Ｕ字状支持部材５０（正電極端子部材４３）を矢印Ｄ方向に押して、Ｕ字状支持部材５０（正電極端子部材４３）が、円錐コイルばね５２の圧縮を伴ってそのＺ１方向端がＹ１方向に倒れる斜めの姿勢とされてＹ１方向に押しやられる。単１乾電池２０の正電極２０ｂ側のうちの下端部２０ｄが、押し上げ板４１を矢印Ｅで示すように押し下げる。
【００２８】
単１乾電池２０はその負電極２０ａ側のうちの下端部２０ｄが廂状突き出し部４０ｄの上面の凹部４０ｄａに当たって、安定に支持された状態で矢印Ｃ方向に押し込まれる。
▲３▼  操作者は、単１乾電池２０の負電極２０ａ側を矢印Ｆで示すように押し下げる。
【００２９】
単１乾電池２０の負電極２０ａ側のうちの下端部２０ｄが廂状突き出し部４０ｄを越えた段階で、図６（Ｂ）に示すように、単１乾電池２０の負電極２０ａ側が乾電池収容空間部４５内に沈み込む。
▲４▼  操作者は、単１乾電池２０の負電極２０ａ側が完全に乾電池収容空間部４５内に沈み込むまで押し、単１乾電池２０の負電極２０ａ側の上端部２０ｆが廂状突き出し部４０ｄを越えた段階で、指を離して押すのをやめる。
【００３０】
この後、単１乾電池２０は以下の３つの動作を行って、図７（Ａ）に示す状態となる。
ｉ  単１乾電池２０は、最初に、円錐コイルばね５２によって押されてＹ２方向に移動されて、負電極２０ａ側の上端部２０ｆが廂状突き出し部４０ｄの下側に潜り込む。
【００３１】
ii  単１乾電池２０は、主に第１コイルばね４８のばね力によって押上げ板４１のうちＹ２方向端寄りの部分によってＺ１方向に押し上げられ、負電極２０ａ側が、第１コイルばね４８のばね力によって廂状突き出し部４０ｄと押上げ板４１との間に挟まれて保持される。
iii 第２コイルばね４９のばね力によって押上げ板４１のうちＹ１方向端寄りの部分がＹ２方向端寄りの部分よりもＺ１方向に押し上げられて斜めにせりあがり、単１乾電池２０の正電極２０ｂ側が押し上げられて、単１乾電池２０が斜めとなり、上端部２０ｃが乾電池収容空間部４５より突き出る。
【００３２】
単１乾電池２０は負電極２０ａ側を保持されており、乾電池収容空間部４５より飛び出して落ちることは起きず、安全である。
▲５▼  残りの乾電池収容空間部４５にも単１乾電池２０を上記のように装着した後に、蓋３５をＹ１方向に押してスライドさせ、最終位置でロックさせて、乾電池収容空間部４５を塞ぐ。
【００３３】
蓋３５のスライドによって、リブ３５ｂがその傾斜部３５ｃから単１乾電池２０の乾電池収容空間部４５より突き出ている部分を押し、単１乾電池２０の正電極２０ｂ側が乾電池収容空間部４５内に押し込まれる。これによって、図７（Ｂ），（Ｃ）に示すように、単１乾電池２０は、その上端をリブ３５ｂによって押さえられて、乾電池収容空間部４５内に完全に収容され、押上げ板４１のうちの単１乾電池押上げ部４１ｃによって支持され、負電極２０ａが負電極端子部材４２に押し当たり、正電極２０ｂが正電極端子部材４３に押し当たった状態となる。
【００３４】
（２）単１乾電池２０の取り外し
▲１▼  図８（Ａ）に示すように、蓋３５をＹ２方向に引き抜いて乾電池収容空間部４５を開く。
蓋３５を引き抜くと、単１乾電池２０は、リブ３５ｂによる押さえを開放され、図８（Ａ）に示すように、負電極２０ａ側については、主に第１コイルばね４８のばね力によって廂状突き出し部４０ｄと押上げ板４１との間に挟まれて保持され、正電極２０ｂ側については、第２コイルばね４９のばね力によって押上げ板４１のうちＹ１方向端寄りの部分によってＺ１方向に押し上げられてせりあがり、斜めとなって正電極２０ｂ側が乾電池収容空間部４５より突き出て、指をかけることが可能である指かけ可能部分２０ｇが形成された状態となる。
【００３５】
単１乾電池２０は、取外し易い状態となるも、乾電池収容空間部４５から飛び出して落ちることにはならず、安全である。
▲２▼  操作者は、図８（Ｂ）に示すように、一方の手の指２５を指かけ可能部分２０ｇに掛け、矢印Ｇで示す手前の方向に引く。
これによって、単１乾電池２０は、図８（Ｃ）に示すように、起き上げられ、、廂状突き出し部４０ｄと押上げ板４１とによる挟み保持が解除される。
【００３６】
▲３▼  操作者は、指かけ可能部分２０ｇに掛けている指２５の手の残りの指で単１乾電池２０を掴んで、取り出す。
残りの乾電池収容空間部４５に装着されている単１乾電池２０も、上記のように取り出す。
また、上記構成になる乾電池収容構造部３７は、単２乾電池２１又は単３乾電池２２を装着することが可能となっている。
【００３７】
単２乾電池２１は、図９（Ａ），（Ｂ）に示すように、その上端をリブ３５ｂによって押さえられ、下部を、押上げ板４１のうちの単２乾電池押上げ部４１ｂによって位置規制されて支持された状態で、装着される。
単３乾電池２２は、図１０（Ａ），（Ｂ）に示すように、その上端をリブ３５ｂによって押さえられ、下部を、押上げ板４１のうちの単３乾電池押上げ部４１ａによって位置規制されて支持された状態で、装着される。
【００３８】
単２乾電池２１及び単３乾電池２２の装着及び取り出しは、上記の単１乾電池２０の場合と同様に行われる。
また、押上げ板４１についてみると、単３乾電池押上げ部４１ａは、押上げ板４１のＸ１、Ｘ２方向の中央に単３乾電池の外形に倣った円弧形状を有しており、単２乾電池押上げ部４１ｂは単３乾電池押上げ部４１ａの両側に位置して単２乾電池の外形に倣った円弧形状を有している。よって、単２乾電池２１及び単３乾電池２２は、乾電池収容構造部３７の中央に置けば、単２乾電池２１は単２乾電池押上げ部４１ｂによって位置規制され、単３乾電池２２は単３乾電池押上げ部４１ａによって位置規制される。このため、単２乾電池２１及び単３乾電池２２についても略中央に押し込むと正常に装着され、単２乾電池２１及び単３乾電池２２について装着する位置を変える必要はなく、よって装着を間違うことは起きない。
【００３９】
また、上記の乾電池収容構造は、上記の受信機器の他に、送信機器等の電子機器に適用が可能である。
【００４０】
【発明の効果】
以上説明したように、請求項１の発明によれば、乾電池の固定の電極端子部材側が廂状突き出し部と押上げ板との間に挾まれて保持されるため、乾電池のばね付勢されている電極端子部材側が乾電池収容空間部より突き出た状態となっても、乾電池が乾電池収容空間部から飛び出して脱落してしまうようなことが起きないようにすることが出来る。また、乾電池のばね付勢されている電極端子部材側が乾電池収容空間部より突き出た状態となるため、この突き出た部分を指をかける部分に利用出来、このようにすることによって、乾電池の取り出し操作を容易に行うことが出来る。
【００４１】
請求項２の発明は、押上げ板を押し上げる方向に付勢するばねを、押上げ板のうち固定の電極端子部材側を付勢する第１のコイルばねと、押上げ板のうちばね付勢されている電極端子部材側を付勢する第２のコイルばねとよりなり、該第２のコイルばねのばね定数が第１のコイルばねのばね定数より大きい構成としたものであるため、押上げ板が乾電池のうちばね付勢されている電極端子部材側を乾電池収容空間部の外まで押し上げる動作が確実になされるようにすることが出来る。
【００４２】
請求項３の発明は、ばね付勢されている電極端子部材をばね付勢するばねが、円錐コイルばねである構成としたものであり、一般に、円錐コイルばねは、通常のコイルばねに比べて安定に圧縮変形されるため、ばね付勢されている電極端子部材の動きが安定となるように出来る。
請求項４の発明は、上記乾電池収容空間部は、単１乾電池を収容可能な大きさを有し、上記押上げ板は、中央に、単３乾電池の外形に倣った円弧形状を有し、単３乾電池に当たって単３乾電池を押し上げる単３乾電池押上げ部を有し、この単３乾電池押上げ部の両側に、単２乾電池の外形に倣った円弧形状を有し、単２乾電池に当たって単２乾電池を押し上げる単２乾電池押上げ部を有し、且つ、この単２乾電池押上げ部の両側に、単１乾電池を押し上げる単１乾電池押上げ部を有する構成としたものであるため、単１乾電池に限らず、単２乾電池も、単３乾電池も収容可能となる。しかも、単２乾電池及び単３乾電池は、乾電池収容構造部の中央に置けば、単２乾電池は単２乾電池押上げ部によって位置規制され、単３乾電池は単３乾電池押上げ部によって位置規制されるため、単２乾電池及び単３乾電池についても略中央に押し込むと正常に装着され、単２乾電池及び単３乾電池について装着する位置を変える必要はなく、よって装着を間違うことが起きないように出来る。即ち、単２乾電池及び単３乾電池についても誤りなく確実に装着することが出来る。
【００４３】
請求項５の発明は、請求項１乃至請求項５のうちいずれか一項記載の乾電池収容構造を備えた構成としたものであるため、乾電池の取り出しがし易く、お年寄りの方でも乾電池の交換を行うことが可能である電子機器を実現出来る。
【図面の簡単な説明】
【図１】本発明の一実施例の乾電池収容構造の一部切截斜視図である。
【図２】図１の乾電池収容構造が適用してある受信装置を示す図である。
【図３】乾電池収容構造の平面図である。
【図４】図３中、IV-IV 線に沿う断面図である。
【図５】図３中、Ｖ−Ｖ線に沿う断面図である。
【図６】単１乾電池の装着の手順を説明する図である。
【図７】図６に続く装着手順を説明する図である。
【図８】単１乾電池の取り出しの手順を説明する図である。
【図９】単２乾電池が装着された状態を示す図である。
【図１０】単３乾電池が装着された状態を示す図である。
【図１１】従来の乾電池収容構造を示す図である。
【符号の説明】
２０  単１乾電池
２１  単２乾電池
２２  単３乾電池
３０  受信装置
３５  蓋
３５ｂ  リブ
３７  乾電池収容構造部
４０  フレーム
４０ｄ  廂状突き出し部
４１  押上げ板
４１ａ  単３乾電池押上げ部
４１ｂ  単２乾電池押上げ部
４１ｃ  単１乾電池押上げ部
４２  負電極端子部材
４３  正電極端子部材
４５  乾電池収容空間部
４８  第１コイルばね
４９  第４コイルばね
５２  円錐コイルばね
【図１】
0004099255.tif 000002
【図２】
0004099255.tif 000003
【図３】
0004099255.tif 000004
【図４】
0004099255.tif 000005
【図５】
0004099255.tif 000006
【図６】
0004099255.tif 000007
【図７】
0004099255.tif 000008
【図８】
0004099255.tif 000009
【図９】
0004099255.tif 000010
【図１０】
0004099255.tif 000011
【図１１】
0004099255.tif 000012